(57)【要約】【課題】  小型の携帯機器の筐体内への浸水によるマイクの破損を防止する。【解決手段】  マイク１１はカメラ１００の筐体内部に配置されており、当該筐体の外面に設けられた開口部を通って到来する音を集音して電気信号へ変換する。マイク電源１２はマイク１１へ電力を供給する。電極５及び６は当該筐体の内部に配置されている。抵抗１０の端子間電圧を監視しているＣＰＵ２は、当該開口部からの浸水がマイク１１へ及ぶ前に当該浸水の検出を行い、当該浸水を検出したときにはマイク電源１２を制御してマイク１１への電力の供給を遮断する制御を行う。【選択図】      図１
2005340874.tif 000002
【特許請求の範囲】
【請求項１】
筐体内部に配置されており、当該筐体の外面に設けられた開口部を通って到来する音を集音して電気信号へ変換するマイクと、
前記マイクへ電力を供給する電力供給手段と、
筐体内部に配置されており、前記開口部からの浸水が前記マイクへ及ぶ前に当該浸水を検出する検出手段と、
前記検出手段が前記浸水を検出したときに前記電力の前記マイクへの供給を遮断する制御を行う電力供給制御手段と、
を有することを特徴とする集音装置。
【請求項２】
前記検出手段は、前記開口部から前記マイクへ至る前記音の伝達経路の途中に配置されている検出子を用いて前記浸水を検出することを特徴とする請求項１に記載の集音装置。
【請求項３】
前記電力供給手段が前記電力の前記マイクへの供給を開始する前に前記検出手段が前記浸水を検出したときには、電力供給制御手段は当該電力の供給を開始させないように前記制御を行うことを特徴とする請求項１に記載の集音装置。
【請求項４】
前記浸水から前記マイクを保護する保護手段を更に有することを特徴とする請求項１に記載の集音装置。
【請求項５】
請求項１から４までのうちのいずれか一項に記載の集音装置を備えることを特徴とする撮像装置。
【請求項６】
請求項１から４までのうちのいずれか一項に記載の集音装置を備え、
前記マイクによって集音された音を表している電気信号を送信する送信手段を更に有する、
ことを特徴とする通話装置。
【請求項７】
前記電力制御手段が前記電力の供給を遮断したときに、前記音を表している電気信号に代えて所定の信号を前記送信手段に送信させる送信制御手段を更に有することを特徴とする請求項６に記載の通話装置。
【発明の詳細な説明】
【技術分野】
【０００１】
本発明は、音を電気信号へ変換する集音装置、並びに集音装置を装備する撮像装置及び通話装置で使用される技術に関し、特に、浸水による故障を防止する技術に関する。
【背景技術】
【０００２】
従来、車両等でのウィンドシールドワイパの動作を制御するための雨滴検出の技術として、例えば特許文献１や特許文献２に開示されているものがある。これらの技術は、対向電極間に雨滴が付着したときに生じる対向電極間のインピーダンスの変化を検出するというものである。
【０００３】
また、特許文献３に開示されている水中スピーカの漏電防止装置は、水中スピーカの内部への浸水による漏電を検出するために、スピーカ回路とセンサとの間に水を介して流れる電流が検出されたときに、スピーカ回路への駆動信号の入力をカットするというものである。
【０００４】
この他、特許文献４には、潜水中における周囲の水圧を検出するための圧力センサをデジタルカメラに備え、所定値以上の水圧を検出したときには撮影禁止とするという技術が開示されている。
【特許文献１】特公平６−５４３０１号公報
【特許文献２】実開昭５９−３４３５４号公報
【特許文献３】特公平７−４８９１５号公報
【特許文献４】特開２００３−１４３４６０号公報
【発明の開示】
【発明が解決しようとする課題】
【０００５】
例えばビデオカメラやデジタルカメラ等の撮像装置、あるいは携帯電話等の通話装置などといった、小型の携帯機器において、音を集音するためのマイクを備えているものがある。このような機器では周囲の音を筐体内のマイクへ導くための開口部が筐体に設けられるが、この開口部から水が侵入してマイクが浸水した状態で、動作に必要な電力をそのマイクに印加すると、水を通して電流が流れることによりマイクを破損してしまうことがある。従って、このような破損を防止するためには、筐体内への浸水を検出し、この浸水が検出されている間はマイクへの電力の供給を行わないようにする必要がある。
【０００６】
前掲した特許文献１や特許文献２に開示されている雨滴検出の技術は、人体が触れる状況を考慮しておらず、雨滴検出用の電極が外部に露出しているため、上述したような小型の携帯機器での利用には適していない。また、これらの技術は、そもそも電子機器を浸水から保護することを目的としたものではない。
【０００７】
また、前掲した特許文献３に開示されている技術では、スピーカ回路とセンサとの間に水を介して流れる電流が検出されてから駆動信号の入力をカットするため、電流検出から駆動信号をカットするまでの間にスピーカ回路等が破損してしまう可能性がある。
更に、特許文献４に開示されている技術は、周囲の水圧が十分に高い状況でないと水圧の検出は容易ではなく、雨滴程度の浸水を検出することは困難である。また、この技術で利用可能な圧力センサは高価であり、更には上述したような小型の携帯機器に搭載するには容易とはいえないほどの大きさがある。
【０００８】
本発明は上述した問題に鑑みてなされたものであり、その解決しようとする課題は、小型の携帯機器の筐体内への浸水によるマイクの破損を防止することである。
【課題を解決するための手段】
【０００９】
本発明の態様のひとつである集音装置は、筐体内部に配置されており、当該筐体の外面に設けられた開口部を通って到来する音を集音して電気信号へ変換するマイクと、当該マイクへ電力を供給する電力供給手段と、筐体内部に配置されており、当該開口部からの浸水が当該マイクへ及ぶ前に当該浸水を検出する検出手段と、当該検出手段が当該浸水を検出したときに当該電力の当該マイクへの供給を遮断する制御を行う電力供給制御手段と、を有することを特徴とするものであり、この特徴によって前述した課題を解決する。
【００１０】
なお、上述した本発明に係る集音装置において、当該検出手段は、当該開口部から当該マイクへ至る当該音の伝達経路の途中に配置されている検出子を用いて当該浸水を検出するように構成してもよい。
また、前述した本発明に係る集音装置において、当該電力供給手段が当該電力の当該マイクへの供給を開始する前に当該検出手段が当該浸水を検出したときには、電力供給制御手段は当該電力の供給を開始させないように当該制御を行うように構成してもよい。
【００１１】
また、前述した本発明に係る集音装置において、当該浸水から当該マイクを保護する保護手段を更に有するように構成してもよい。
なお、上述した集音装置を備えることを特徴とする撮像装置も本発明に係るものである。
【００１２】
また、前述した集音装置を備え、当該マイクによって集音された音を表している電気信号を送信する送信手段を更に有することを特徴とする通話装置も本発明に係るものである。
なお、この本発明に係る通話装置において、当該電力制御手段が当該電力の供給を遮断したときに、当該音を表している電気信号に代えて所定の信号を当該送信手段に送信させる送信制御手段を更に有するように構成してもよい。
【発明の効果】
【００１３】
本発明は、以上のように構成することにより、筐体内への浸水によるマイクの破損が防止される効果を奏する。
【発明を実施するための最良の形態】
【００１４】
以下、本発明の実施の形態を図面に基づいて説明する。なお、ここでは、動画録画機能及び静止画撮影機能に加えて音声記録機能を有するカメラで本発明を実施する実施形態について説明する。
まず図１について説明する。同図は本発明を実施するカメラ（撮像装置）１００に備えられている集音装置である音声信号処理部の構成を示している。
【００１５】
スイッチ１はカメラ１００のユーザによって操作され、当該操作に対応付けられているユーザからの各種の指示、例えば録音の開始・終了や電源のオン・オフといった指示を取得する。
ＣＰＵ（Central Processing Unit ）２は、カメラ１００全体の動作を制御する中央演算装置である。なお、ＣＰＵ２は時間の経過を計時するタイマ機能を有しているものとする。
【００１６】
記録媒体３は例えば半導体メモリを有するメモリカードであり、マイク１１によって取得された音声を表している音声データやカメラ１００によって撮像された画像を表している画像データが記録される。
表示装置４は例えばＴＦＴ（Thin Film Transistor：薄膜トランジスタ）液晶ディスプレイであり、カメラ１００で撮像した画像の表示や、カメラ１００での録音動作の状態を示す画面の表示などを行う。
【００１７】
電極５及び６は、マイク１１による集音のためにカメラ１００の筐体に設けられている開口部からの浸水を検出するための検出子である。
検出用電源７は検出用の電流を電極５へ供給する電源である。
Ａ／Ｄ変換器８は、増幅器９から出力されるアナログ値である電圧値をデジタルデータへ変換する。
【００１８】
増幅器９は抵抗１０の両端間の電圧を増幅する。
抵抗１０は、一方の端子が電極６に接続されており、他方の端子はグランドライン（カメラ１００内の基準電位ライン）に接続されている。
電極５と電極６との間が開放状態（絶縁状態）にあるときには、抵抗１０の両端間の電圧はゼロである。一方、カメラ１００の筐体内への浸水により電極５と電極６とが水を介して導電状態となると、検出用電源７から供給される電流が抵抗１０を流れるので、抵抗１０の両端間には電位差が発生する。増幅器９はこの電位差を増幅し、Ａ／Ｄ変換器８は、増幅器９から出力される増幅後の電圧値（浸水検出電圧値）をデジタルデータへ変換してＣＰＵ２へ出力する。
【００１９】
マイク１１は例えばコンデンサマイクであり、カメラ１００の筐体に設けられている開口部を通って到来するカメラ１００の周囲の音を電気信号へ変換する。
マイク電源１２は、マイク１１を動作させるために必要な電力をマイク１１へ供給する。
【００２０】
増幅器１３は、マイク１１から出力される電気信号（音声信号）を増幅する。
Ａ／Ｄ変換器１４は、増幅器９から出力されるアナログ信号である音声信号をデジタルデータである音声データへ変換してＣＰＵ２へ出力する。
カメラ１００の音声信号処理部はこれらの構成要素から構成されている。
【００２１】
次に図２及び図３について説明する。図２はカメラ１００の外観図であり、図３はカメラ１００におけるマイクユニットの構造を示している。
カメラ１００の筐体１５の外面には多数のマイク孔１６が設けられている。ここで、図３を参照すると分かるように、筐体１５の内部にはマイク１１が配置されており、マイク１１は、筐体１５に設けられている開口部であるマイク孔１６を通って到来する音を集音する。
【００２２】
また、電極５及び６は、マイク孔１６からマイク１１へ至る音の伝達経路であるチェンバ１７内の途中であってマイク１１よりも鉛直方向で低い位置に配置されている。従って、マイク孔１６から筐体１５内部への浸水がマイク１１へ及ぶ前にその浸水を検出することができる。また、電極５及び６は筐体１５の内部に配置されており、筐体１５の表面には露出していないので、電極５及び６が人体に直接触れてしまうことはない。
【００２３】
なお、図２における録音スイッチ１−１及び電源スイッチ１−２はいずれも図１におけるスイッチ１の一部である。録音スイッチ１−１はユーザからの録音の開始・終了の指示を取得し、電源スイッチ１−２はカメラ１００に対するユーザからの電源のオン・オフの指示を取得する。
【００２４】
また、図３における撥水性クロス１８は、筐体１５内部への浸水からマイク１１を簡易的に保護する、防滴処理の施されている布であり、音を透過させる。なお、マイク１１は撥水性クロス１８で覆われている。
以下、カメラ１００のＣＰＵ２によって行われる制御処理について説明する。なお、これらの処理は、不図示のメモリに予め格納されている制御プログラムをＣＰＵ２が読み出して実行することによっていずれも実現される。
【００２５】
まず、図４について説明する。同図は音声記録処理の処理内容をフローチャートで示したものである。なお、この処理は、前述した電源スイッチ１−２をオンとする操作が検出されると開始される。
まず、Ｓ１０１において起動処理が行われる。この処理はＣＰＵ２自身の初期化処理であり、例えば、ＣＰＵ２内部の各種のレジスタを初期化する処理などである。なお、この初期状態において、マイク電源１２はマイク１１への電力の供給を行っていない。
【００２６】
Ｓ１０２では、録音開始指示を取得したか否か、より具体的には前述した録音スイッチ１−１をオンとする操作を検出したか否かを判定する処理が行われ、この指示を取得するまで（判定結果がＹｅｓとなるまで）このＳ１０２の処理が繰り返される。
Ｓ１０３では、電極５及び６によって筐体１５内部への浸水を検出したか否かを判定する処理が行われる。なお、この浸水の検出の手法の詳細については後述する。
【００２７】
このＳ１０３の判定処理において、浸水を検出したと判定したとき（判定結果がＹｅｓのとき）には、Ｓ１０４において、録音不能表示、すなわち浸水のため録音を行うことができない旨をユーザに視覚的に示す画面を表示装置４に表示させる処理が行われ、その後はＳ１０２へと処理を戻して上述した処理が繰り返される。
【００２８】
一方、Ｓ１０３の判定処理において、浸水を検出していないと判定したとき（判定結果がＮｏのとき）には、Ｓ１０５においてマイク電源１２に指示を与えてマイク１１への電力の供給を開始させる処理が行われ、マイク電源１２による電力の供給が安定した後、続くＳ１０６において、音声記録処理を開始させる。音声記録処理は、マイク１１から出力されて増幅器１３で増幅された音声信号をＡ／Ｄ変換器１４で音声データに変換させ、得られた音声データを記録媒体３に記録する処理である。
【００２９】
このように、マイク１１への電力の供給を開始する前に筐体１５内部への浸水の有無の検出を行うようにし、浸水が検出されたときにはマイク１１への電力の供給を開始しないようにしたので、浸水によって生じるショートに起因するマイク１１の破損が確実に防止される。
【００３０】
Ｓ１０６の処理によって開始された音声記録処理の実行中に処理はＳ１０７へと進み、筐体１５内部への浸水を検出したか否かを判定する処理が行われる。なお、この判定処理は前述したＳ１０３の処理と同様のものである。
このＳ１０７の判定処理において、浸水を検出していないと判定したとき（判定結果がＮｏのとき）には、Ｓ１０８において録音終了指示を取得したか否か、より具体的には前述した録音スイッチ１−１をオフとする操作を検出したか否かを判定する処理が行われる。ここで、録音終了指示を取得したと判定したとき（判定結果がＹｅｓのとき）にはＳ１１０に処理を進める。一方、録音終了指示を未だ取得していないと判定したとき（判定結果がＮｏのとき）にはＳ１０７へと処理を戻して上述した処理を繰り返す。
【００３１】
一方、Ｓ１０７の判定処理において、浸水を検出したと判定したとき（判定結果がＹｅｓのとき）には、Ｓ１０９において、録音中止表示、すなわち浸水のため録音を継続することができない旨をユーザに視覚的に示す画面を表示装置４に表示させる処理が行われる。なお、このとき、浸水の発生に関する情報（発生日時など）を併せて取得する。
【００３２】
Ｓ１１０では、マイク電源１２に指示を与えてマイク１１への電力の供給を直ちに中止させる処理が行われる。
続くＳ１１１では録音終了処理が行われる。この処理は、前述した浸水の発生に関する情報を記録媒体３に記録させる処理である。なお、この情報は、今回の音声記録処理において記録媒体３に記録された音声データに対応付けて（例えば音声データが格納されているデータファイルについてのファイル情報として）記録媒体３に記録するようにする。
【００３３】
Ｓ１１１の処理を終えた後には、Ｓ１０２へと処理を戻して上述した処理が繰り返される。
以上までの処理が音声記録処理であり、この処理をＣＰＵ２が実行することによってカメラ１００での音声記録が可能となる。
【００３４】
次に、浸水の検出の手法について、図５を参照しながら説明する。同図は浸水検出処理の処理内容をフローチャートで示したものであり、上述した音声記録処理におけるＳ１０３及びＳ１０７の判定処理において実行される。
まず、Ｓ２０１において検出開始処理が行われ、検出用電源７に指示を与えて検出用の電流の電極５への供給を可能な状態とする。
【００３５】
Ｓ２０２では、浸水検出の打ち切りのための所定の条件を満たしたか否かを判定する処理が行われる。この判定は、具体的には浸水検出処理を開始してからの時間経過が所定の時間を超えたか否か、その所定時間経過前に録音録音終了指示取得したか否か、などを判定する。
【００３６】
このＳ２０２の判定処理において所定の条件を満たしたと判定した（判定結果がＹｅｓ）ならば、Ｓ２０３において浸水未検出終了処理を実行し、その後はこの浸水検出処理を終了する。浸水未検出終了処理は、浸水の検出がされなかった旨を浸水検出処理の処理結果として元の処理（例えば図４の音声記録処理）へ返すと共に、検出用電源７に指示を与えて検出用の電流を供給しない状態とする処理である。
【００３７】
一方、Ｓ２０２の判定処理において所定の条件を満たしていないと判定した（判定結果がＮｏ）ならば、Ｓ２０４において、Ａ／Ｄ変換器８から出力される浸水検出電圧値を電圧値ｘとして取得する処理が行われる。
Ｓ２０５では、この電圧値ｘが、予め設定されている電圧値Ａよりも小さいか否かを判定する処理が行われる。この電圧値Ａは、電極５と電極６との間が導通しているとみなすか否かを判定する閾値（導通スレッシュ電圧）である。
【００３８】
このＳ２０５の判定処理において、電圧値ｘがこの電圧値Ａよりも小さいと判定したとき（判定結果がＹｅｓのとき）には、Ｓ２０６において、検知時間ｔをクリアして初期値であるゼロとする処理が行われ、その後はＳ２０８に処理を進める。一方、このＳ２０５の判定処理において、電圧値ｘが電圧値Ａ以上であると判定したとき（判定結果がＮｏのとき）には、Ｓ２０７において、検知時間ｔを取得する処理が行われる。ここで、検知時間ｔは、電圧値ｘが電圧Ａ以上の値を継続している時間、すなわち、繰り返し実行されるＳ２０５の処理がＮｏの判定結果を連続している時間である。
【００３９】
Ｓ２０８では、この検出時間ｔが、予め設定されている時間Ｔよりも長いか否かを判定する処理が行われる。この時間Ｔは、筐体１５への浸水を判定するための閾値である。
このＳ２０８の判定処理において、この検出時間ｔが時間Ｔよりも長いと判定したとき（判定結果がＹｅｓのとき）には、Ｓ２０９において浸水検出終了処理が行われ、その後はこの浸水検出処理を終了する。浸水検出終了処理は、浸水の検出がされた旨を浸水検出処理の処理結果として元の処理（例えば図４の音声記録処理）へ返すと共に、検出用電源７に指示を与えて検出用の電流を供給しない状態とする処理である。
【００４０】
一方、Ｓ２０８の判定処理において、この検出時間ｔが時間Ｔよりも短いと判定したとき（判定結果がＹｅｓのとき）には、Ｓ２０２へと処理を戻して上述した処理が繰り返される。
以上までの処理が浸水検出処理である。
【００４１】
この浸水検出処理におけるＳ２０４からＳ２０９にかけての処理について、図６を参照しながら更に説明する。
図６（１）は、筐体１５への浸水が一時的に発生した場合、例えば水滴がカメラ１００に落ちてマイク孔１６から筐体１５へ浸水したような場合を示している。
【００４２】
この場合には、（１−ａ）に示すように、電極５と電極６との間には殆ど水は残らず、チェンバ１７内における電極５及び６の鉛直下方へと落ちてしまう。（１−ｂ）はチェンバ１７内の水量の変化を示している。ここで、値Ｂはマイク１１が浸水して破損してしまう水量を示しているが、この場合にはチェンバ１７内の水量は値Ｂに届くことはない。
【００４３】
（１−ｃ）はこの場合における浸水検出電圧値ｘの変化を示しており、水が電極５と電極６との間に留まっている間は一時的に浸水検出電圧値ｘが閾値Ａを超えているが、この浸水検出電圧値ｘが閾値Ａを超えている時間（検出時間ｔ）は閾値Ｔを下回っている。従ってこの場合には前述した浸水検出処理におけるＳ２０８の判定処理の結果はＮｏとなり、マイク１１を破損するほどの筐体１５内への浸水は発生していないと判定される。
【００４４】
一方、図６（２）は、筐体１５への浸水が継続している場合、例えばカメラ１００を水没させてしまったような場合を示している。
この場合には、（２−ａ）に示すように、チェンバ１７内の水位は電極５と電極６とを同時に沈めてしまうほどまで上昇する。（２−ｂ）はチェンバ１７内の水量の変化を示しているが、この場合には水量が値Ｂを超えてしまうので、このままマイク１１に電力を印加すれば浸水によってマイク１１は破損する。
【００４５】
（２−ｃ）はこの場合における浸水検出電圧値ｘの変化を示しており、浸水検出電圧値ｘが閾値Ａを超えている時間（検出時間ｔ）は閾値Ｔよりも長くなっている。従って、この場合には前述した浸水検出処理におけるＳ２０８の判定処理の結果はＹｅｓとなり、マイク１１を破損するほどの筐体１５内への浸水が発生していると判定される。なお、図４の音声記録処理においては、この判定結果の場合にはマイク電源１２によるマイク１１への電力の供給が遮断されるので、筐体１５内への浸水によるマイク１１の破損が防止される。
【００４６】
次に図７について説明する。同図は動画撮影処理の処理内容を示すフローチャートである。この処理は録音と同時に動画の録画をカメラ１００に行わせるためにＣＰＵ２に行わせる処理であり、この処理によれば、マイク孔１６から筐体１５への浸水が検出されている期間は無音録音としながらも録画については継続される。
【００４７】
まず、Ｓ３０１において起動処理が行われる。この処理はＣＰＵ２自身の初期化処理であり、例えば、ＣＰＵ２内部の各種のレジスタを初期化する処理などである。なお、この初期状態において、マイク電源１２はマイク１１への電力の供給を行っていない。
Ｓ３０２では、録画開始指示を取得したか否か、より具体的にはスイッチ１を操作して当該指示に対応付けられている操作を検出したか否かを判定する処理が行われ、この指示を取得するまで（判定結果がＹｅｓとなるまで）このＳ３０２の処理が繰り返される。
【００４８】
Ｓ３０３では、電極５及び６によって筐体１５内部への浸水を検出したか否かを判定する処理が行われる。なお、この浸水の検出は、図５に示した浸水検出処理の実行によって行う。
このＳ３０３の判定処理において、浸水を検出したと判定したとき（判定結果がＹｅｓのとき）には、Ｓ３０４において、無音記録処理、すなわち無音を示す音声データを記録媒体３に記録する処理を開始させ、続くＳ３０５において、マイク電源１２に指示を与えてマイク１１への電力の供給を直ちに中止させる処理が行われ、その後はＳ３０７に処理を進める。なお、この無音記録処理においては、無音データの記録を行ったことを示す情報を、記録媒体３に記録した無音音声データに対応付けて記録媒体３に記録する処理も行う。
【００４９】
一方、Ｓ３０３の判定処理において、浸水を検出していないと判定したとき（判定結果がＮｏのとき）には、Ｓ３０６において、マイク電源１２に指示を与えてマイク１１への電力の供給を開始させ、マイク１１によって取得される音を表す音声データを記録媒体３に記録させるようにする。
【００５０】
Ｓ３０７では、動画記録処理、すなわち、不図示の動画記録部を動作させて撮像された動画像を表す動画像データを、並行して記録中の音声データと関連付けて記録媒体３に記録させる処理を開始させる。
Ｓ３０７の処理によって開始された動画記録処理の実行中に処理はＳ３０８へと進み、筐体１５内部への浸水を検出したか否かを判定する処理が行われる。なお、この浸水の検出も、図５に示した浸水検出処理の実行によって行う。
【００５１】
このＳ３０８の判定処理において、浸水を検出したと判定したとき（判定結果がＹｅｓのとき）には、Ｓ３０９において、前述したものと同様の無音記録処理を開始させ、続くＳ３１０において、マイク電源１２に指示を与えてマイク１１への電力の供給を直ちに中止させる処理が行われ、その後はＳ３１４に処理を進める。なお、この無音記録処理においては、無音音声データの記録開始日時を示す情報を、記録媒体３に記録した無音音声データに対応付けて記録媒体３に記録する処理も行う。
【００５２】
一方、Ｓ３０８の判定処理において、浸水を検出していないと判定したとき（判定結果がＮｏのとき）には、Ｓ３１１において、マイク電源１２の現在の状態を調べ、マイク電源１２がマイク１１への電力の供給を現在行っているか否かを判定する処理が行われる。ここで、電力の供給を行っていると判定したとき（判定結果がＹｅｓのとき）には、Ｓ３１４に処理を進める。一方、電力の供給を行っていないと判定したとき（判定結果がＮｏのとき）には、Ｓ３１２において、マイク電源１２に指示を与えてマイク１１への電力の供給を開始させ、マイク１１によって取得される音を表す音声データを記録媒体３に記録可能とし、続くＳ３１３において無音記録処理を停止し、無音を表す音声データに代わってマイク１１によって取得される音を表す音声データの記録媒体３への記録を開始させる。なお、このとき無音音声データの記録を停止した日時を示す情報を、記録媒体３に記録した無音音声データに対応付けて記録媒体３に記録する処理も行う。
【００５３】
Ｓ３１４では、録画終了指示を取得したか否か、より具体的にはスイッチ１を操作して当該指示に対応付けられている操作を検出したか否かを判定する処理が行われる。ここで、録画終了指示を取得したと判定したとき（判定結果がＹｅｓのとき）にはＳ３１５に処理を進める。一方、録画終了指示を未だ取得していないと判定したとき（判定結果がＮｏのとき）にはＳ３０８へと処理を戻して上述した処理を繰り返す。
【００５４】
Ｓ３１５では、マイク電源１２に指示を与えてマイク１１への電力の供給を直ちに中止させる処理が行われ、続くＳ３１６において、前述した動画記録処理を終了させる。その後はＳ３０２へと処理を戻して上述した処理が繰り返される。
以上までの処理が動画撮影処理であり、この処理をＣＰＵ２が実行することによって、録音と同時の動画録画がカメラ１００で可能となり、この動画録画において、マイク孔１６から筐体１５への浸水が検出されている期間は無音録音として録画が継続されるようになる。
【００５５】
次に図８について説明する。同図は静止画撮影処理の処理内容を示すフローチャートである。この処理は静止画の撮影・記録をカメラ１００に行わせるためにＣＰＵ２に行わせる処理であり、この処理によれば、マイク孔１６から筐体１５への浸水が検出されている期間は、撮影した画像が光学的な影響を受けている可能性をユーザに告知する。
【００５６】
まず、Ｓ４０１において起動処理が行われる。この処理はＣＰＵ２自身の初期化処理であり、例えば、ＣＰＵ２内部の各種のレジスタを初期化する処理などである。
Ｓ４０２では、撮影指示を取得したか否か、より具体的にはスイッチ１のひとつであるレリーズスイッチの操作を検出したか否かを判定する処理が行われ、この指示を取得するまで（判定結果がＹｅｓとなるまで）このＳ４０２の処理が繰り返される。
【００５７】
Ｓ４０３では静止画撮影制御処理が行われる。静止画撮影制御処理は、不図示の撮像部を動作させて被写体像を撮像すると共に、不図示の画像処理部を動作させ、撮像して得られた静止画像を表す画像データに対してデータ圧縮処理等の各種の処理を行わせる処理である。
【００５８】
Ｓ４０４では、筐体１５内部への浸水を検出したか否かを判定する処理が行われる。なお、この浸水の検出も、図５に示した浸水検出処理の実行によって行う。
このＳ４０４の判定処理において、浸水を検出したと判定したとき（判定結果がＹｅｓのとき）にのみ、Ｓ４０５において、浸水警告表示、すなわち、水のため撮影した画像が何らかの光学的な影響を受けている可能性がある旨をユーザに視覚的に示す画面を表示装置４に表示させる処理が行われる。なお、このとき、浸水の発生に関する情報（発生日時など）を併せて取得する。
【００５９】
Ｓ４０６では、前述したＳ４０３の処理によって各種の処理が施された後の画像データファイルに、浸水が検出されていたことを示す浸水情報をヘッダ情報若しくはフッダ情報として付加する処理が行われ、続くＳ４０７において、その画像データファイルを記録媒体に記録する処理が行われる。その後はＳ４０２へと処理を戻して上述した処理が繰り返される。
【００６０】
以上までの処理が静止画撮影処理であり、この処理をＣＰＵ２が実行することによって、静止画の撮影・記録がカメラ１００で可能となる。
次に、本発明に係る集音装置を携帯電話（通話装置）に実装する実施形態について説明する。
【００６１】
本発明を実施する携帯電話における送話信号処理部の構成を図９に示す。
図９に示す携帯電話２００の送話信号処理部の構成を図１に示したカメラ１００の音声信号処理部の構成と比較すると、図１における記録媒体３の代わりに変調部２１、増幅部２２、及びアンテナ２３とＲＯＭ２４とが設けられた点で異なるのみである。
【００６２】
変調部２１は、搬送波である所定の周波数の高周波信号を、マイク１１によって取得された音声を表している音声データで変調する。
送信部２２は変調部２１から出力される変調信号を増幅し、得られた高周波信号をアンテナ２３へ入力して電磁波として空間に放射する。
【００６３】
ＲＯＭ２４は、音声による所定のメッセージを表している音声データが予め格納されているメモリである。
なお、この携帯電話２００において、マイク１１は、図３に示したマイクユニットと同様の構造で取り付けられているものとする。従って、電極５及び６により、マイク孔１６から筐体１５内部への浸水がマイク１１へ及ぶ前に、携帯電話２００の筐体１５内への浸水を検出することができる。
【００６４】
次に図１０について説明する。同図は通話制御処理の処理内容を示すフローチャートである。この処理は、図９に示した携帯電話２００全体の動作を管理するＣＰＵ２によって行われる処理であり、携帯電話２００で相手方への送話を可能とするための処理である。なお、この処理は、不図示のメモリに予め格納されている制御プログラムをＣＰＵ２が読み出して実行することによって実現される。
【００６５】
まず、Ｓ５０１において起動処理が行われる。この処理はＣＰＵ２自身の初期化処理であり、例えば、ＣＰＵ２内部の各種のレジスタを初期化する処理などである。なお、この初期状態において、マイク電源１２はマイク１１への電力の供給を行っていない。
Ｓ５０２では、通話開始指示を取得したか否か、より具体的にはスイッチ１を操作して当該指示に対応付けられている操作を検出したか否かを判定する処理が行われ、この指示を取得するまで（判定結果がＹｅｓとなるまで）このＳ５０２の処理が繰り返される。
【００６６】
Ｓ５０３では、電極５及び６によって筐体１５内部への浸水を検出したか否かを判定する処理が行われる。なお、この浸水の検出も、図５に示した浸水検出処理の実行によって行う。
このＳ５０３の判定処理において、浸水を検出したと判定したとき（判定結果がＹｅｓのとき）には、Ｓ５０４において、メッセージ送信処理が行われ、その後はＳ５０２へと処理を戻して上述した処理が繰り返される。メッセージ送信処理は、浸水のためユーザの声を送話することができない旨のメッセージを表している音声データをＲＯＭ２４から読み出して変調部２１へ入力し、送信部２２に送信させる処理である。このときに送信された電磁波が受信されて通話の相手方の通話装置でこのメッセージが復調されることにより、浸水によって通話不能であることが相手方に通知される。
【００６７】
一方、Ｓ５０３の判定処理において、浸水を検出していないと判定したとき（判定結果がＮｏのとき）には、Ｓ５０５において、マイク電源１２に指示を与えてマイク１１への電力の供給を開始させ、マイク電源１２による電力の供給が安定した後、続くＳ５０６において、通話処理を開始させる。通話処理は、マイク１１によって集音されたユーザの話声を表している音声信号を増幅器１３で増幅させた後にＡ／Ｄ変換器１４で音声データに変換させ、得られた音声データを変調部２１へ入力し、送信部２２に送信させる処理である。
【００６８】
Ｓ５０７では、筐体１５内部への浸水を検出したか否かを判定する処理が行われる。なお、この浸水の検出も、図５に示した浸水検出処理の実行によって行う。
このＳ５０７の判定処理において、浸水を検出していないと判定したとき（判定結果がＮｏのとき）には、Ｓ５０８において、通話終了指示を取得したか否か、より具体的にはスイッチ１を操作して当該指示に対応付けられている操作を検出したか否かを判定する処理が行われる。ここで、通話終了指示を取得したと判定したとき（判定結果がＹｅｓのとき）にはＳ５０９に処理を進める。一方、録画終了指示を未だ取得していないと判定したとき（判定結果がＮｏのとき）にはＳ５０７へと処理を戻して上述した処理を繰り返す。
【００６９】
Ｓ５０９では、前述したＳ５０６の処理で開始した通話処理を終了させる処理が行われ、その後はＳ５０２へと処理を戻して上述した処理が繰り返される。
一方、Ｓ５０７の判定処理において、浸水を検出したと判定したとき（判定結果がＹｅｓのとき）には、Ｓ５１０において、マイク電源１２に指示を与えてマイク１１への電力の供給を直ちに中止させる処理が行われ、その後はＳ５０４へと処理を戻して前述したメッセージ送信処理が行われる。
【００７０】
以上までの処理が通話制御処理であり、この処理を携帯電話２００のＣＰＵ２が実行することによって、携帯電話２００で相手方への送話が可能となる。
その他、本発明は、上述した実施形態に限定されることなく、本発明の要旨を逸脱しない範囲内で種々の改良・変更が可能である。
【図面の簡単な説明】
【００７１】
【図１】本発明を実施するカメラに備えられている音声信号処理部の構成を示す図である。
【図２】図１に示したカメラの外観図である。
【図３】図１に示したカメラにおけるマイクユニットの構造を示す図である。
【図４】音声記録処理の処理内容を示すフローチャートである。
【図５】浸水検出処理の処理内容を示すフローチャートである。
【図６】浸水検出の手法を説明する図である。
【図７】動画撮影処理の処理内容を示すフローチャートである。
【図８】静止画撮影処理の処理内容を示すフローチャートである。
【図９】本発明を実施する携帯電話に備えられている送話信号処理部の構成を示す図である。
【図１０】通話制御処理の処理内容を示すフローチャートである。
【符号の説明】
【００７２】
１  スイッチ
１−１  録音スイッチ
１−２  電源スイッチ
２  ＣＰＵ
３  記録媒体
４  表示装置
５、６  電極
７  検出用電源
８、１４  Ａ／Ｄ変換器
９、１３  増幅器
１０  抵抗
１１  マイク
１２  マイク電源
１５  筐体
１６  マイク孔
１７  チェンバ
１８  撥水性クロス
２１  変調部
２２  送信部
２３  アンテナ
２４  ＲＯＭ
１００  カメラ
２００  携帯電話
【図１】
2005340874.tif 000003
【図２】
2005340874.tif 000004
【図３】
2005340874.tif 000005
【図４】
2005340874.tif 000006
【図５】
2005340874.tif 000007
【図６】
2005340874.tif 000008
【図７】
2005340874.tif 000009
【図８】
2005340874.tif 000010
【図９】
2005340874.tif 000011
【図１０】
2005340874.tif 000012